(57)【要約】【課題】ボルトに対し、無回転で前進方向へ移動できるナットであって、そのナットを所定の位置で、前進移動しないようにロックできるナットを提供する。【解決手段】ケーシング２内に雄ねじ体を挿通する挿通穴５を形成するとともに該挿通穴５の一部を後側が拡径するテーパ穴６に形成する。該テーパ穴６に、内面に雌ねじ１２を形成した雌型係止部材１０を前後移動可能に備えるとともに該雌型係止部材１０を前方へ付勢し、雌型係止部材１０が、その前方への移動により挿入された雄ねじ体に噛合し、後方への移動により雄ねじ体と離間するようにする。前記雌型係止部材１０の前進位置を保持するようにロックしたり、このロックを解除するロック手段２３を設ける。【選択図】  図４
2005163998.tif 000002
【特許請求の範囲】
【請求項１】
ケーシング内に雄ねじ体を挿通する挿通穴を形成するとともに該挿通穴の一部を後側が拡径するテーパ穴に形成し、該テーパ穴に、内面に雌ねじを形成した雌型係止部材を前後移動可能に備えるとともに該雌型係止部材を前方へ付勢し、雌型係止部材が、その前方への移動により挿入された雄ねじ体に噛合し、後方への移動により雄ねじ体と離間するようにしたナットにおいて、
前記雌型係止部材の前進位置を保持するようにロックしたり、このロックを解除するロック手段を設けたことを特徴とするナット。
【請求項２】
前記ロック手段を、前記雌型係止部材に係止部を形成し、雌型係止部材の前進状態においてその係止部が位置する部分のケーシングに挿入穴を形成し、該挿入穴を通じてロック部材を前記係止部に係合してロックしたり、係止部から離脱させてロックを解除するように構成した請求項１記載のナット。
【請求項３】
前記ケーシングに、前記ロック部材のロック状態を保持したり解除できるロック保持手段を備えた請求項１又は２記載のナット。
【請求項４】
雌型係止部材の前進状態において該雌型係止部材の後面が位置する部分のケーシングに、周方向に形成したストッパ溝と、該ストッパ溝の一端側からケーシングの軸方向に沿ってケーシングに形成した長穴と、ケーシング内において前記雌型係止部材の後面に当接する環状の当接部と、該当接部に固設されて前記長穴から外部へ突出するとともに長穴とストッパ溝に摺動可能な操作部を有するロック部材とによりロック手段を構成した請求項１記載のナット。
【請求項５】
ケーシング内に雄ねじ体を挿通する挿通穴を形成するとともに該挿通穴の一部を後側が拡径するテーパ穴に形成し、該テーパ穴に、内面に雌ねじを形成した雌型係止部材を前後移動可能に備えるとともに該雌型係止部材を前方へ付勢し、雌型係止部材が、その前方への移動により挿入された雄ねじ体に噛合し、後方への移動により雄ねじ体と離間するようにし、前記雌型係止部材の前進位置を保持するようにロックしたり、このロックを解除するロック手段を設けたナットの操作装置であって、前記ロック手段におけるロック部材のロック操作と解除操作を自動的に行う操作手段を設けたことを特徴とするナットの操作装置。
【請求項６】
前記ロック手段におけるロック部材のロック操作を、ナットの前進側にロック操作部材を設け、ナットとロック操作部材との相対移動により、ロック操作部材によってロック部材をロック方向へ移動してロック操作を行うようにした請求項５記載のナットの操作装置。
【請求項７】
ナットの外部にロック解除操作部材を設け、前記ロック手段によるロック状態において、ロック解除操作部材をロック手段に係合させてロック手段の解除を行うようにした請求項５又は６記載のナットの操作装置。
【発明の詳細な説明】
【技術分野】
【０００１】
本発明は連結具として用いられるナットと、そのナットの操作装置に関する。
【背景技術】
【０００２】
従来、部材相互の連結具として用いられるナットとして、そのナットを回転することなくボルトに締結できるものが知られており、例えば図２１に示す構造のものが知られている。
【０００３】
この図２１に示すナット１０１は、内部に後方が拡径し、前側に挿入口１０３を有するテーパ穴１０２を形成するとともに、そのテーパ穴１０２の内面に軸方向に沿った摺動案内突条１０４を周方向に分割して複数形成したケーシング１０５と、外面を前記テーパ穴１０２に沿うテーパ面に形成するとともに内面に雌ねじ１０６を形成して、前記摺動案内突条１０４間に、軸方向へ摺動可能に介在した楔状の雌型係止部材１０７と、該雌型係止部材１０７を、バネ受け１０８を介して前記テーパ穴１０２の小径の挿入口１０３側へ付勢する圧縮バネ１０９と、蓋１１０とで構成されている。
【０００４】
そして、前記ナット１０１を、回転することなく挿入口１０３から図２１の矢印Ａのように雄ねじ体であるボルト１１１に挿通することにより、分割された雌型係止部材１０７の雌ねじ１０６がボルト１１１の雄ねじ１１２に係合してその雌型係止部材１０７が圧縮バネ１０９に抗して大径側へ移動し、複数個の雌型係止部材１０７で形成される雌ねじ孔の内径が拡径してナット１０１をボルト１１１の所定位置まで挿通でき、その挿通が終わると、圧縮バネ１０９の付勢力によって各雌型係止部材１０７が前側へ移動して、その雌ねじ１０６がボルト１１１の雄ねじ１１２に噛合し、ナット１０１をボルト１１１に締着できるようになっている（例えば特許文献１参照）。
【０００５】
ところで、前記のようなナット１０１を、例えば図２２に示すように、固定されたボルト１１１に備えるとともにバネ１１３で常時ナット１０１の進行可能方向である矢印Ａ方向へ付勢してワークなどの部材１１４をナット１０１で押圧したい場合がある。
【０００６】
しかし、このような部材１１４の押圧状態から、この部材１１４に変えて図２２に示す位置にある別の部材１１５を押圧したい場合に部材１１４を除去すると、バネ１１３の付勢力によってナット１０１が前記進行可能方向Ａへ移動するため、このナット１０１を移動しないように手で保持しながら部材１１４の取り外しと部材１１５の設置をしなければならず、その作業が極めて困難である。
【０００７】
また、上記の部材の交換以外においても、そのナット１０１をボルト１１１の途中の位置に停止させておきたい場合にも対応できない。
【特許文献１】実公昭５５−４８１７１号公報
【発明の開示】
【発明が解決しようとする課題】
【０００８】
本発明は、前記のようなナットにおいて、そのナットをボルトに対して所望の位置で係止保持できるようにして、例えば前記のような問題を解消することを目的とするものである。
【課題を解決するための手段】
【０００９】
前記の課題を解決するために、請求項１記載の発明は、ケーシング内に雄ねじ体を挿通する挿通穴を形成するとともに該挿通穴の一部を後側が拡径するテーパ穴に形成し、該テーパ穴に、内面に雌ねじを形成した雌型係止部材を前後移動可能に備えるとともに該雌型係止部材を前方へ付勢し、雌型係止部材が、その前方への移動により挿入された雄ねじ体に噛合し、後方への移動により雄ねじ体と離間するようにしたナットにおいて、
前記雌型係止部材の前進位置を保持するようにロックしたり、このロックを解除するロック手段を設けたことを特徴とするナットである。
【００１０】
請求項２記載の発明は、請求項１記載の発明において、前記ロック手段を、前記雌型係止部材に係止部を形成し、雌型係止部材の前進状態においてその係止部が位置する部分のケーシングに挿入穴を形成し、該挿入穴を通じてロック部材を前記係止部に係合してロックしたり、係止部から離脱させてロックを解除するように構成したナットである。
【００１１】
請求項３記載の発明は、請求項１又は２記載の発明において、前記ケーシングに、前記ロック部材のロック状態を保持したり解除できるロック保持手段を備えたナットである。
【００１２】
請求項４記載の発明は、請求項１記載の発明において、雌型係止部材の前進状態において該雌型係止部材の後面が位置する部分のケーシングに、周方向に形成したストッパ溝と、該ストッパ溝の一端側からケーシングの軸方向に沿ってケーシングに形成した長穴と、ケーシング内において前記雌型係止部材の後面に当接する環状の当接部と、該当接部に固設されて前記長穴から外部へ突出するとともに長穴とストッパ溝に摺動可能な操作部を有するロック部材とによりロック手段を構成したナットである。
【００１３】
請求項５記載の発明は、ケーシング内に雄ねじ体を挿通する挿通穴を形成するとともに該挿通穴の一部を後側が拡径するテーパ穴に形成し、該テーパ穴に、内面に雌ねじを形成した雌型係止部材を前後移動可能に備えるとともに該雌型係止部材を前方へ付勢し、雌型係止部材が、その前方への移動により挿入された雄ねじ体に噛合し、後方への移動により雄ねじ体と離間するようにし、前記雌型係止部材の前進位置を保持するようにロックしたり、このロックを解除するロック手段を設けたナットの操作装置であって、前記ロック手段におけるロック部材のロック操作と解除操作を自動的に行う操作手段を設けたことを特徴とするナットの操作装置である。
【００１４】
請求項６記載の発明は、請求項５記載の発明において、前記ロック手段におけるロック部材のロック操作を、ナットの前進側にロック操作部材を設け、ナットとロック操作部材との相対移動により、ロック操作部材によってロック部材をロック方向へ移動してロック操作を行うようにしたナットの操作装置である。
【００１５】
請求項７記載の発明は、請求項５又は６記載の発明において、ナットの外部にロック解除操作部材を設け、前記ロック手段によるロック状態において、ロック解除操作部材をロック手段に係合させてロック手段の解除を行うようにしたナットの操作装置である。
【発明の効果】
【００１６】
本発明のナットによれば、ナットと雄ねじ体に、そのナットを回転することなく前進方向へ挿入できる。
しかも、このように無回転で前進方向へ移動できるナットにおいて、このナットを、付勢手段によって常時前方へ付勢された状態で使用する場合に、ロック手段によってナット内の雌型係止部材をロックすることにより、そのナットを、これが前記の付勢力によっては前進移動しないように保持させることができる。
【００１７】
また、前記のように雌型係止部材をロックすることにより、正逆回転によって前後進する通常のナットとしても使用することができる。
また、本発明のナットの操作装置によれば、前記のロック操作とその解除操作が自動的に行えて至便である。
【発明を実施するための最良の形態】
【００１８】
本発明を実施するための最良の形態を図１乃至図２０に示す実施例に基づいて説明する。
【実施例１】
【００１９】
図１乃至図８は第１実施例を示す。
ナット１を構成するケーシング２は筒状、例えば外周面が円形或いは多角形の筒状に形成されている。図の例では外周面が円形に形成されている。
【００２０】
該ケーシング２内には、その前側（図においてＢ側）に挿入口３を有し、後側（図においてＣ側）に開口部４を有する挿通穴５が軸方向に貫通形成されているとともに、該挿通穴５の略前半部がテーパ穴６で形成され、後半部がバネ室７で形成されている。
前記テーパ穴６は前側Ｂから後側Ｃに向かって内径が徐々に拡大するテーパ面８に形成され、バネ室７は円筒状に形成されている。
【００２１】
前記テーパ穴６のテーパ面８には、ケーシング２の軸方向Ｘ−Ｘに長い摺動案内突条９が図３に示すように、周方向に所定の間隔を有して複数個突設されている。図の実施例では周方向に等間隔で３個設けられている。この摺動案内突条９を形成することにより、これらの間に後述する雌型係止部材１０が嵌合する案内空間が形成されている。
【００２２】
前記テーパ穴６内であって、前記隣接する摺動案内突条９，９間の案内空間には、図３に示すように横断面が扇状で、図２に示すように縦断面が楔状の雌型係止部材１０が、ケーシング２の軸方向Ｘ−Ｘに摺動可能に配置されている。この雌型係止部材１０は、図の例ではケーシング２の周方向に３個設けられている。
【００２３】
更に、各雌型係止部材１０は、その前側Ｂの周方向長が後側Ｃの周方向長より短い楔状に形成され、外周面が前記テーパ穴６のテーパ面８に沿ったテーパ面１１に形成されている。更に、内周面には、ケーシング２の軸芯を中心とする螺旋の一部で形成された雌ねじ１２が形成されており、この複数の、図の例では３個の雌型係止部材１０の雌ねじ１２により、雌ねじ穴を形成している。また、該雌ねじ１２は、前記挿入口３の周縁及び前記摺動案内突条９の内面よりも内側へ突出するように形成されている。
【００２４】
前記各雌型係止部材１０は、その後端が図２に示すように、各摺動案内部材９の後端より後方へ突出しており、各雌型係止部材９の後端に共通してバネ受け１３が配置されている。
【００２５】
また、前記バネ室７の後部にはワッシャ１５を保持するＣリングからなるバネ受け１４が固設されており、該ワッシャ１５と前記バネ受け１３との間に、付勢手段であるコイルバネ１６が圧縮状態で介在され、該コイルバネ１６の付勢力により、前記各雌型係止部材１０を常時前側Ｂ、すなわち挿入口３側へ付勢している。
なお、前記実施例では付勢手段としてコイルバネ１６を使用したが、この付勢手段はコイルバネ以外にウレタン、ゴムなどの弾性体を用いてもよい。
【００２６】
次に、前記雌型係止部材１０のロック手段について説明する。
前記雌型係止部材１０、図の例では３個の雌型係止部材１０のうちの１個の雌型係止部材１０には、その外周面に係止溝１７が形成されており、その前面が係止部１７ａになっている。
【００２７】
前記ケーシング２には、雌型係止部材１０が後述するように雄ねじ体（ボルト）４０と噛合した前進位置において、その係止溝１７が位置する部分に挿入穴１８が内外方向に貫通して形成されている。更に、ケーシング２における前記挿入穴１８の両側に位置する両外周面には図３に示すように、ケーシング２の軸方向と直交する方向に切欠溝１９，２０が形成されているとともに、該両切欠溝１９，２０の底面にはロック保持手段を構成する係止凹部２１，２２が形成されている。
【００２８】
前記ケーシング２の外側部にはロック手段を構成するロック部材２３が備えられている。該ロック部材２３は、前記係止溝１７と挿入穴１８に挿入可能なロック片２４と、該ロック片２４の突出方向と反対側へ突設した第１操作片２５と、ロック片２４の両側から股状に形成した脚部２６，２７と、該両脚部２６，２７の先端部の内側に突設されてロック保持手段を構成する係止突部２８，２９と、両脚部２６，２７の先端に設けた第２操作片３０，３１とからなり、これらが金属板で一体に形成されている。そして、ロック部材２３は、その両脚部２６，２７を前記ケーシング２の両切欠溝１９，２０に摺動可能に嵌合して備えられており、図４及び図５に示すようにロック部材２３を上動すると、そのロック片２４が前記係止溝１７から離脱するとともに係止突部２８，２９が係止凹部２１，２２に弾力的に嵌合し、また、ロック部材２３を図６及び図７に示すように下降すると、そのロック片２４が前記係止溝１７に嵌合係止するとともに係止突部２８，２９が係止凹部２１，２２より離脱してケーシング２の外周面に係止するようになっている。
【００２９】
なお、前記第１操作片２５と第２操作片３０，３１は図示のように一方側へ折曲して形成されている。
【００３０】
次に前記のナット１の使用例について図８により説明する。
図４及び図５に示すように、ロック部材２３がケーシング２に備えられ、かつ、そのロック部材２３を上動してそのロック片２４を係止溝１７より離脱させた状態で、そのナット１を図８に示すように雄ねじ体であるボルト４０に挿通設置する。なお、このナット１の挿入は、図８の固定端４１がない状態のボルト４０の右端から、ナット１を、その挿入口３側から挿入して左側（矢印Ａ方向）へ移動させる。
【００３１】
このＡ方向への移動時には、ボルト４０の雄ねじ４０ａ部が各雌型係止部材１０の雌ねじ１２に係合し、各雌型係止部材１０がコイルスプリング１６の付勢力に抗して後側Ｃへ押し移動される。この後側への移動により、各雌型係止部材１０はテーパ面８，１１に沿って径方向の外側へ移動し、これら各雌型係止部材１０で形成される雌ねじ穴が拡径する。そのため、雌型係止部材１０の雌ねじ１２がボルト４０の雄ねじ４０ａを乗り越えながらナット１が前進する。したがって、ナット１を回転することなく挿入することができる。
【００３２】
そしてボルト４０を固定端４１に固定するとともに、該固定端４１とナット１間に付勢手段であるバネ４２を圧縮介在する。また、ナット１の前側にワークなどの第１の部材４３を配置することにより、ナット１を第１の部材４３に、バネ４２の付勢力によって押圧することができる。このようにすることにより、第１の部材４３をナット１で押圧保持できる。また、このナット１の停止状態では、各雌型係止部材１０がコイルバネ１６に押圧されて前進した状態にあり、各雌型係止部材１０の雌ねじ１２がボルト４０の雄ねじ４０ａに噛合する。
【００３３】
前記の状態から、例えば図８に示すように、前記第１の部材４３とは別のワークなどの第２の部材４４を、第１の部材４３から離れた位置に交換して設置する場合には、図８の位置にあるナット１において、ロック部材２３の第１操作片２５を矢印Ｄ方向に押し、ロック部材２３を図６及び図７に示すようにケーシング２側へ移動させ、そのロック片２４を雌型係止部材１０の係止溝１７に嵌入させる。この嵌入によりロック片２４が係止溝１７の係止部１７ａに係合し、雌型係止部材１０の後方への移動が阻止されてロックされる。このようにロック片２４を係止溝１７に嵌入させたロック状態は、図７に示すように、ロック部材２３の係止突部２８，２９がケーシング２の外面に弾力的に係止することにより保持される。
【００３４】
前記のようにロック片２４を雌型係止部材１０の係止溝１７に嵌入することにより、その雌型係止部材１０の軸方向Ｘ−Ｘの移動が阻止されて雌型係止部材１０とボルト４０の噛合状態が保持され、ナット１の無回転での軸方向の移動が阻止される。そのため、図８において、第１の部材４３を取り除いてもナット１は矢印Ａ方向には移動せず、その位置が保持される。
【００３５】
そして、第２の部材４４を図８のように配置した後、前記ロック部材２３の第２操作片３０，３１を矢印Ｄと反対方向へ押し、図４及び図５に示すようにロック部材２３のロック片２４を係止溝１７より離脱して前記のロック状態を解除する。この解除により、ナット１は図８の矢印Ａ方向への移動が可能になり、バネ４２の付勢力により矢印Ａ方向に移動して第２の部材４４に当接し、第２の部材４４を押圧保持する。
【００３６】
以上の操作により、部材４３，４４の交換が、ナット１をボルト４０に一時的に停止保持させた状態で容易に行える。
また、本発明のナット１は、前記図８のような部材４３，４４の押圧保持のみに用いるものではなく、その他、種々な使用に用いることができるものである。例えば、ロック片２４を係止溝１７に嵌合して、雌型係止部材１０とボルト４０との螺合状態を保持することにより、ナット１をボルト４０の所望の位置に停止させたり、また、通常のナットのように、ナット１を正逆に回転して前後に移動させることもできる。
【００３７】
前記のロック部材２３のロック操作及びその解除操作は手動で行ってもよいが、図８に示すように自動で行ってもよい。
例えば図８において、第１の部材４３を取り除いた後にロック部材２３のロック片２４を係止溝１７から離脱させると、バネ４２の付勢力によりナット１が矢印Ａ方向に移動する。このナット１が第２の部材４４に当接する時点において、ロック部材２３の第１操作片２５を矢印Ｄ方向へ案内するテーパ面４５を有するロック操作部材４６からなるロック操作手段を設けることにより、ロック片２４が自動的にケーシング２側へ移動し、自動的にロックされる。なお、停止したナット１に対してロック操作部材４６側をナット１側へ移動させてもよく、相対的に移動すればよい。
【００３８】
また、前記のロック状態を解除するには、図８に示すように、ロック解除操作部材４７からなるロック解除操作手段を設けるとともにこの部材４７の制御手段（図示せず）を設けて、このロック解除操作部材４７を矢印Ｅ方向へ進行させてロック部材２３の第２操作片３０，３１を矢印Ｅ方向へ押すことにより、ロック部材２３のロック片２４を係止溝１７より離脱させることができる。
【００３９】
なお、前記の実施例では、ロック部材２３のロック片２４が係止する係止部１７ａを係止溝１７で形成したが、雌型係止部材１０の後面或いはバネ受け１３の後面を係止部１７ａとしてもよい。
【実施例２】
【００４０】
図９乃至図１１は第２実施例を示す。
本第２実施例は、前記第１実施例におけるロック部材とロック保持手段の変形例である。
【００４１】
前記第１実施例におけるケーシング２の挿入穴１８にはロック部材であるロックピン５１が進退可能に設けられているとともにバネ５２により外方へ付勢されており、該ロックピン５１の進入によりこれが雌型係止部材１０の係止溝１７に嵌入し、後退により該ロックピン５１が係止溝１７から離脱するようになっている。
【００４２】
前記のケーシング２には、ロック保持手段を構成する操作板５３が設けられている。該操作板５３は弾性を有する板材で形成され、その一端５４をケーシング２の前側に嵌合して備えられている。該操作板５３の他端側にはフック部５５が形成され、該フック部５５をケーシング２の後側に形成した溝５６に弾力的に嵌合できるようになっている。更に、操作板５３の中間部には前記ロックピン５１に係合する係合部５７が形成されている。
【００４３】
その他の構造は前記第１実施例と同様であるため、前記と同一部分には前記と同一の符号を付してその説明を省略する。
本第２実施例において、図９に示すように、操作板５３を、そのフック部５５を溝５６から外して一端５４を中心として開くと、バネ５２の付勢力によってロックピン５１が係止溝１７から離脱し、雌型係止部材１０のロックが解除される。
【００４４】
また、図１０に示すように、操作板５３を、そのフック部５５を溝５６に嵌合して閉じると、係合部５７によってロックピン５１が押圧され、該ロックピン５１が係止溝１７に嵌合して前記と同様に雌型係止部材１０をロックする。
【００４５】
したがって、本第２実施例においても前記のように操作板５３を操作してロックピン５１によるロック操作とその解除操作を行うことにより、前記第１実施例と同様の作用、効果を発揮できる。
【００４６】
また、図１１に示すように、テーパ面５８ａを有するロック操作部材５８からなるロック操作手段を所定位置に固定しておき、ナット１が矢印Ａ方向に移動した時に、ロック操作部材５８のテーパ面５８ａが操作板５３を押圧するようにしてもよい。このような押圧により、ロックピン５１を自動的に押圧して、雌型係止部材１０の自動的なロック操作を行うことができる。
【００４７】
更に、図１１に示すように、テーパ面５９ａを有するロック解除操作部材５９からなるロック解除操作手段を設け、これを図示しない制御手段により矢印Ｆ方向へ前進させることにより、そのテーパ面５９ａによって、図１１に示すように閉じた操作板５３のフック部５５を溝５６から外してもよい。このようにすることにより、操作板５３は、そのバネ力によって図９に示すように開き、ロックピン５１のロック状態を自動的に解除することができる。
【実施例３】
【００４８】
図１２及び図１３は第３実施例を示す。
本第３実施例は、前記第２実施例における操作板５３の変形例である。
ロック保持手段を構成する操作板６１の前側にはフック部６２が形成され、後側にはフック部６３が形成され、該操作板６１を図１２に示すように前進させると、後側のフック部６３がケーシング２に形成した溝６４に弾力的に嵌合し、操作板６１を図１３に示すように後退させると、前側のフック部６２がケーシング２に形成した溝６５に弾力的に嵌合するようになっている。
【００４９】
更に、前記操作板６１の中間部にはテーパ面からなる係合部６６が形成されており、図１２に示すように操作板６１を前進させると係合部６６がロックピン５１と非係合状態となってロックピン５１が前記係止溝１７から離脱し、図１３に示すように操作板６１を後退させると係合部６６がロックピン５１を押圧して、ロックピン５１を前記係止溝１７に嵌入させるようになっている。
【００５０】
その他の構造は前記第１実施例及び第２実施例と同様であるため、前記と同一の部分には前記と同一の符号を付してその説明を省略する。
本第３実施例においても前記のように操作板６１を操作してロックピン５１によるロック操作とその解除操作を行うことにより、前記第１実施例と同様の作用、効果を発揮する。
【００５１】
また、本第３実施例においても、前記図１１に示すようなロック操作部材５８とロック解除操作部材５９を設けることにより、自動的に雌型係止部材１０のロックとその解除ができる。
【実施例４】
【００５２】
図１４乃至図１７は第４実施例を示す。
本第４実施例は、前記第２実施例の操作板５３の変形例である。
前記ケーシング２には弾性を有する板材からなる操作板７１が、その一端７２をケーシング２の前側に嵌合して備えられている。該操作片７１の他端側には門形の係止板７３，７４が一体に形成され、その先部にフック部７５，７６が形成されている。また、ケーシング２の外面には軸方向に嵌合溝７７，７８が形成されている。
【００５３】
そして、図１４及び図１５に示すように、操作板７１のフック部７５，７６が嵌合溝７７，７８に弾力的に係止している状態では、前記のロックピン５１が係止溝１７より離脱した状態にあり、図１６及び図１７に示すように、操作板７１の係合部７９を押圧すると、係止板７３，７４が図１６に示すように変位してそのフック部７５，７６が嵌合溝７７，７８から外れてケーシング２の外面に係止し、その係合部７９での押圧状態が保持され、係合部７９がロックピン５１を押して、ロックピン５１が前記雌型係止部材１０の係止溝１７に嵌入する。
【００５４】
その他の構造は前記第１実施例及び第２実施例と同様であるため、前記と同一部分には前記と同一の符号を付してその説明を省略する。
本第４実施例においても、前記のように操作板７１を操作してロックピン５１によるロック操作とその解除操作を行うことにより、前記第１実施例と同様の作用、効果を発揮することができる。
【００５５】
また、本第４実施例においても、前記図１１に示すようなロック操作部材５８とロック解除操作部材５９を設けることにより、自動的に雌型係止部材１０のロックと解除ができる。
【実施例５】
【００５６】
図１８は第５実施例を示す。
本第５実施例は、前記第１実施例におけるロック手段の変形例である。
前記ケーシング２には、軸方向Ｘ−Ｘに沿った長穴８１が形成され、該長穴８１の後側は開口され、前側には所定の位置から周方向に屈曲してなるストッパ溝８２が連設されている。該所定位置とは、前記雌型係止部材１０が前記のように雄ねじ体（ボルト）４０と噛合した状態における雌型係止部材１０の前面位置である。なお、この長穴８１とストッパ溝８２と同様の長穴８１ａとストッパ溝８２ａが、図２０に示すように、ケーシング２の軸芯を中心として点対称的に形成されている。
【００５７】
また、ケーシング２には、前記雌型係止部材１０の後面に当接する環状の当接部８３と、該当接部８３に外方へ突設した操作部８４，８４ａとからなるロック部材８５が備えられている。前記当接部８３は、ケーシング２内に挿入されて雌型係止部材１０の後面に当接可能な外径で、かつ、前記のボルト４０が挿通できる穴８６を有する。また、前記２個の操作部８４，８４ａは相互に１８０°離れて形成され、これらは前記長穴８１，８１ａとストッパ溝８２，８２ａに摺動可能に嵌合できるように形成されている。これらの長穴８１，８１ａ、ストッパ溝８２，８２ａ、ロック部材８５によりロック手段が構成されている。
【００５８】
前記ロック部材８５は前記第１実施例のバネ受け１３を兼用しているため、前記のバネ受１３は設けられていない。
その他の構造は前記第１実施例と同様であるため、前記と同一部分には前記と同一の符号を付してその説明を省略する。
【００５９】
本第５実施例において図１９及び図２０に示すように組み付けられた状態において、ロック部材８５の操作部８４，８４ａを図１９及び図２０に示すように長穴８１，８１ａ部に位置させると、ロック部材８５は長穴８１，８１ａに沿ってケーシング２の軸方向に移動できる。そのため、雌型係止部材１０の軸方向の移動を可能にし、前記のようにナット１を無回転でボルト４０に挿入できる。
【００６０】
また、ナット１をボルト４０に対して所望の位置に停止させてその雌型係止部材１０の雌ねじ１２をボルト４０の雄ねじ４０ａに噛合させた状態で、ロック部材８５を回転してその操作部８４，８４ａをストッパ溝８２，８２ａに嵌合させると、そのロック部材８５が、ケーシング２の軸方向へ移動しないように保持される。したがって、雌型係止部材１０の後方への移動による拡径方向の移動が阻止され、そのナット１とボルト４０との噛合状態が保持され、前記第１実施例と同様の作用、効果を発揮することができる。
【００６１】
また、本第５実施例においても、ナット１の前進によって、ロック部材８５の操作部８４，８４ａをロック方向に回転させるロック操作部材を設けたり、このロック状態からロック部材８５を逆回転してロック状態を解除するロック解除操作部材を設けて、雌型係止部材１０のロックと解除を自動的に行うようにしてもよい。
【００６２】
なお、前記実施例においてはケーシングを円筒状に形成し、雄ねじ体を円筒状のボルトとしたが、本発明は、この形状に限るものではなく、雄ねじ体を平板状とし、ケーシングを偏平に形成し、２個の雌型係止部材を、平板状の雄ねじ体の両側に配置して構成してもよい。
また、前記の雌型係止部材１０は１個でもよい。
【図面の簡単な説明】
【００６３】
【図１】本発明の第１実施例を示す部品を分解した状態の斜視図。
【図２】図１の部品を組み付けたナットの縦断面図で、ロック部材は除かれている。
【図３】図２のＨ−Ｈ線断面図。
【図４】図２においてロック部材を付設した断面図で、ロックを解除した図。
【図５】図４におけるＩ−Ｉ線断面図。
【図６】図４の状態からロックをした状態を示す断面図。
【図７】図６のＪ−Ｊ線断面図。
【図８】本発明のナット操作装置を示す図。
【図９】本発明の第２実施例を示す縦断面図で、ロックを解除した図。
【図１０】図９の状態からロックをした状態を示す断面図。
【図１１】本発明の第２実施例のナットの操作装置を示す斜視図。
【図１２】本発明の第３実施例を示す縦断面図で、ロックを解除した図。
【図１３】図１１の状態からロックをした状態を示す断面図。
【図１４】本発明の第４実施例を示すナットの側面図で、ロックを解除した状態を示す図。
【図１５】図１４におけるＫ−Ｋ線断面図。
【図１６】図１４の状態からロックをした状態を示すナットの側面図。
【図１７】図１６におけるＬ−Ｌ線断面図。
【図１８】本発明の第５実施例を示す、部品を分解した状態の斜視図。
【図１９】図１８の部品を組み付けたナットの縦断面図。
【図２０】図１９のＭ−Ｍ線断面図。
【図２１】従来のナットを示す縦断面図。
【図２２】図２１のナットの使用を説明する図。
【符号の説明】
【００６４】
１    ナット
２    ケーシング
５    挿通穴
６    テーパ穴
８，１１    テーパ面
１０    雌型係止部材
１２    雌ねじ
１６    付勢手段
１７    係止溝
１７ａ    係止部
１８    挿入穴
２３    ロック部材
４６，５８    ロック操作部材
４７，５９    ロック解除操作部材
５１    ロックピン
５３，６１，７１    ロック保持手段である操作板
８１    長穴
８２    ストッパ溝
８３    環状の当接部
８４    操作部
８５    ロック部材
【図１】
2005163998.tif 000003
【図２】
2005163998.tif 000004
【図３】
2005163998.tif 000005
【図４】
2005163998.tif 000006
【図５】
2005163998.tif 000007
【図６】
2005163998.tif 000008
【図７】
2005163998.tif 000009
【図８】
2005163998.tif 000010
【図９】
2005163998.tif 000011
【図１０】
2005163998.tif 000012
【図１１】
2005163998.tif 000013
【図１２】
2005163998.tif 000014
【図１３】
2005163998.tif 000015
【図１４】
2005163998.tif 000016
【図１５】
2005163998.tif 000017
【図１６】
2005163998.tif 000018
【図１７】
2005163998.tif 000019
【図１８】
2005163998.tif 000020
【図１９】
2005163998.tif 000021
【図２０】
2005163998.tif 000022
【図２１】
2005163998.tif 000023
【図２２】
2005163998.tif 000024